(57)【特許請求の範囲】
【請求項１】
アンカーがアンカー軸（１０）とナット板（１３，４０）とからなり、該ナット板（１３，４０）の中心部に雌ねじ（１４）を形成するとともに周縁部にパイロットピン（１５）をアンカー軸の取り付け方向に向けて固定し、アンカーを施工する壁体に上記ナット板（１３，４０）が挿通できる第１の穴と上記アンカー軸（１０）が挿通できる第２の穴を穿孔し、上記第１の穴から上記ナット板（１３，４０）を挿入して該ナット板（１３，４０）が壁体の背面側に達したときに当該ナット板（１３，４０）を移動して上記雌ねじ（１４）と上記第２の穴を一致させ、壁面の外側から該第２の穴にアンカー軸（１０）を挿入して上記ナット板（１３，４０）の雌ねじ（１４）にねじ結合したことを特徴とするあと施工アンカーの取付構造。
【請求項２】
ナット板（１３）は、円板であることを特徴とする請求項１に記載のあと施工アンカーの取付構造。
【請求項３】
ナット板（４０）は、長円形板であることを特徴とする請求項１に記載のあと施工アンカーの取付構造。
【請求項４】
パイロットピン（１５）は、先端部を折り曲げて取手部（１６）を形成し、該取手部（１６）の長手方向線とナット板（１３，４０）に形成した雌ねじ（１４）の中心部を一致させたことを特徴とする請求項１から３のいずれかに記載のあと施工アンカーの取付構造。
【請求項５】
パイロットピン（１５）は、先端部近くに切欠き（１７）を設けたものであり、該切欠き（１７）とナット板（１３，４０）までの長さを壁体の厚み相当分の長さとしたことを特徴とする請求項１から４のいずれかに記載のあと施工アンカーの取付構造。
【請求項６】
アンカーがアンカー軸（６０）を板部材（６１）に固着したものであり、該板部材（６１）の周縁部に上記アンカー軸（６０）の取り付け方向に向う回止め片（６３）を設け、アンカーを施工する壁体に上記板部材（６１）が挿通できる穴を穿孔するとともに、該穴の中心部に向って開口する溝を形成し、上記穴から板部材（６１）を挿入して該板部材（６１）が壁体の背面側に達したときに当該板部材（６１）を移動して上記アンカー軸（６０）を上記溝に嵌合し、該アンカー軸（６０）が溝端に達したときに上記回止め片（６３）が当該溝に係合するようにしたことを特徴とするあと施工アンカーの取付構造。
【発明の詳細な説明】
【０００１】
【発明の属する技術分野】
本発明は、建築物の壁体に各種部材を取り付けるための「あと施工アンカー」に関しており、さらに詳しくは壁体背部の空間が狭い場合でも施工できるあと施工アンカーに関している。
【０００２】
【従来の技術】
既存の建築物の外壁、内壁、床面等の壁体に各種部材を取り付けるために用いられるあと施工アンカーは広く知られている。
【０００３】
建築物の外壁、内壁、床板等に工場で生産されるプレキャスト・コンクリート板（以下、ＰＣ板という。）が使用される場合が多い。外壁をＰＣ板としたときの室内側には化粧板あるいは化粧板をかねた石こうボードが用いられるが、石こうボードの取付け作業は外壁にモルタルを団子のようにして付ける、所謂ダンゴ張り工法が多く用いられている（図５参照）。このため、ＰＣ板と石こうボードの間は１０〜２０ｍｍと狭い。
又、一般住宅の外壁として気泡コンクリート（以下、ＡＬＣ版という。）が使用されることがあるが、この場合も室内側には石こうボードが用いられる。ここでも石こうボードはＡＬＣ版に対しダンゴ張り工法によって取り付けられることが多いが、ＡＬＣ版は上下を等辺山形鋼（アングル）で固定されるので、ＡＬＣ版と石こうボードの間はアングルの厚みに相当する６〜８ｍｍと狭い。
【０００４】
ＰＣ板及びＡＬＣ版の壁体にもあと施工アンカーを施工することができるが、壁体がＰＣ板の場合は厚さが薄いので、通常のコンクリート用アンカーは埋込み深さが不足して使用できない場合が多い。
又、ＡＬＣ版は気泡コンクリートなので必要な強度が得られないために、専用のアンカーが開発されている。その一例として、実公昭５５−２２６４号公報、特開平９−２５７０２０号公報記載のものがあるが、築年数が経過している場合にはＡＬＣ版自体の劣化も進んでいることが多く、あと施工アンカーを重要な保安部品として使用するには危険がある。
【０００５】
上記アンカーとは別に、壁体を両側から押えて施工することで厚みが薄いものにも適用できるアンカーが特公平３−３６３７３号公報、特開平８−２００３４０号公報に記載されている。この場合は必要な強度が得られる利点があるが、これらはアンカーの施工に際し背面側に一定広さの空間を必要としているので、上記したようにＰＣ板、ＡＬＣ版の背面に石こうボードが使用されている場合は、背面側が狭くて施工することができない。
【０００６】
【発明が解決しようとする課題】
本発明は、建築物に設置され比較的厚みが薄い外壁、内壁、床板等の壁体に施工するものであって、壁体背面の空間が狭い場合でも片側から施工できるあと施工アンカーを提供することを目的としている。
【０００７】
【課題を解決するための手段】
解決手段の第１は、アンカーがアンカー軸とナット板とからなり、該ナット板の中心部に雌ねじを形成するとともに周縁部にパイロットピンをアンカー軸の取り付け方向に向けて固定し、アンカーを施工する壁体に上記ナット板が挿通できる第１の穴と上記アンカー軸が挿通できる第２の穴を穿孔し、上記第１の穴から上記ナット板を挿入して該ナット板が壁体の背面側に達したときに当該ナット板を移動して上記雌ねじと上記第２の穴を一致させ、壁面の外側から該第２の穴にアンカー軸を挿入して上記ナット板の雌ねじにねじ結合したことを特徴とするものである。
解決手段の第２は、第１の解決手段において、ナット板が円板であることを特徴とする。
解決手段の第３は、第１の解決手段において、ナット板が長円形板であることを特徴とする。
解決手段の第４は、第１から第３の解決手段のいずれかにおいて、パイロットピンは先端部を折り曲げて取手部を形成し、該取手部の長手方向線とナット板に形成した雌ねじの中心部を一致させたことを特徴とする。
解決手段の第５は、第１から第４の解決手段のいずれかにおいて、パイロットピンは先端部近くに切欠きを設けたものであり、該切欠きとナット板までの長さを壁体の厚み相当分の長さとしたことを特徴とする。
解決手段の第６は、アンカーがアンカー軸を板部材に固着したものであり、該板部材の周縁部に上記アンカー軸の取り付け方向に向う回止め片を設け、アンカーを施工する壁体に上記板部材が挿通できる穴を穿孔するとともに、該穴の中心部に向って開口する溝を形成し、上記穴から板部材を挿入して該板部材が壁体の背面側に達したときに当該板部材を移動して上記アンカー軸を上記溝に嵌合し、該アンカー軸が溝端に達したときに上記回止め片が当該溝に係合するようにしたことを特徴とするものである。
【０００８】
【発明の実施の形態】
第１実施例
図１〜５は第１実施例を示している。図１において、１０はアンカー軸で両端部に雄ねじ１１，１２を形成したものである。１３は円板状に形成したナット板であり、中心部にアンカー軸１０の雄ねじ１１をねじ結合する雌ねじ１４を形成したものである。なお、アンカー軸１０は全ねじ型のボルト軸でもよい。
ナット板１３に雌ねじ１４を形成する手段は、ねじの長さを確保するために円板を厚くする、円板の背面に既製のナットを溶接する、バーリング加工をして雌ねじを形成する方法等があるが、実施例ではバーリング加工をして雌ねじ１４を形成した。
【０００９】
１５はナット板１３の周縁部に圧入又はねじ結合によりアンカー軸１０の取り付け方向に向けて固定したパイロットピンであり、先端部を直角に折り曲げて取手部１６を形成したものである。１７はパイロットピン１５の取手部１６の近くに形成した切欠きである。パイロットピン１５は壁体にアンカー軸１０を施工した後は、取り外すか又は壁体から突出している部分を切り落すので、ナット板１３から該切欠き１７までの距離をアンカーを施工する壁体の厚み相当分の長さとしておく。
なお、パイロットピン１５に形成した取手部１６は、正面視でナット板１３に設けた雌ねじ１４の中心と当該取手部１６の長手方向線を一致させておくと、アンカー軸１０をナット板１３の雌ねじ１４に結合する作業が容易となる。
【００１０】
実施例において、パイロットピン１５は、ナット板１３にねじ結合により固定しているが、他の固定手段もある。
図２ａに示すアンカーは、ナット板１３の周縁部にＵ字切込み１８を形成し、パイロットピン１５の基端部を直角に折り曲げて形成した結合部１５ａを上記Ｕ字切込み１８に挿入し、当該結合部１５ａを上記ナット板１３に溶接したものである。又、図２ｂは、ナット板１３のＵ字切込み１８に樋状に形成した樋状案内部１９を設け、パイロットピン１５の結合部１５ａを当該樋状案内部１９に挿入するものである。
【００１１】
次に、図３を参照して、第１実施例のアンカーを壁体に施工する作業手順を説明する。
実施例は壁体が建築物の外壁の場合である。外壁２０の背面に石こうボード２１が前述したダンゴ張り工法等によって背面空間２２を隔てて設けられており、石こうボード２１が屋内となり、外壁２０が屋外となる。背面空間２２の幅は、外壁２０がＰＣ板とＡＬＣ版の場合で多少の違いはあるが、概略６〜２０ｍｍの範囲である。
【００１２】
まず、外壁２０にナット板１３が挿通できる第１の穴２３と、アンカー軸１０が挿通できる第２の穴２４を穿孔する。第１の穴２３の穴径は第２の穴２４の穴径よりも大きく形成されなくてはならないが、２つの穴２３，２４の穿孔間隔は第２の穴２４にナット板１３の雌ねじ１４を一致させたとき、パイロットピン１５が第１の穴２３内に位置する関係が維持できる距離とする。
【００１３】
外壁２０に第１及び第２の穴２３，２４を上記した間隔で穿孔した後、ナット板１３を第１の穴２３に挿入する（図３ａ）。ナット板１３を第１の穴２３に挿入するときは、パイロットピン１５を手に持って挿入する。ナット板１３が外壁２０と石こうボード２１の背面空間２２に達したことが確認できたら、ナット板１３を移動して雌ねじ１４と第２の穴２４を一致させる。
【００１４】
次に、第２の穴２４に外壁２０の外側からアンカー軸１０を挿入し、雄ねじ１１をナット板１３の雌ねじ１４にねじ結合し、雄ねじ１２の部分を外壁２０から突出させる（図３ｂ）。背面空間２２に達しているナット板１３は外壁２０から目視することができないが、パイロットピン１５は取手部１６の長手方向線が雌ねじ１４の中心部を通る方向に向いているから、取手部１６を第２の穴２４の中心部に向け、パイロットピン１５を取手部１６の長手方向に沿って移動させることで、ナット板１３の雌ねじ１４を外壁２０の第２の穴２４に容易に一致させることができる。
【００１５】
このようにして、外壁２０にアンカー軸１０が取り付けられたら、パイロットピン１５を取り外すか又は切欠き１７から切り落し、空洞になった第１の穴２３に当該穴をコアドリルで穿孔したときに生じる抜きかす（コア）２５又はモルタルを充填して施工完了となる（図３ｃ）。抜きかす２５を第１の穴２３に充填するときは、接合面に接着剤を塗布すると効果的である。
アンカー軸１０の雄ねじ１１には不完全ねじ部が形成されているので、アンカー軸１０はナット板１３に対して堅固に結合できる。又、パイロットピン１５を第１の穴２３内に残す場合は、当該第１の穴２３内に抜きかす２５を充填してパイロットピン１５を固着することで、パイロットピン１５がナット板１３（アンカー軸１０）の回り止めとなる。
【００１６】
外壁２０に、第１及び第２の穴２３，２４を上記した条件の間隔で穿孔するには、図４に示す治具が有効である。
治具は、基板３０を有し、基板３０に第１の穴２３と第２の穴２４に相当する口径の穴を上記した間隔を隔てて設け、該各穴に第１のガイドパイプ３１と第２のガイドパイプ３２を設けたものである。又、基板３０の各隅部にガイドパイプ３１，３２と反対方向に向って先端が鋭角なピン３３を設けている。
【００１７】
治具を使用するときは、図５に示すように、外壁２０に基板３０を当接し軽くたたいてピン３３を外壁２０の表面に喰い付かせ仮止めする。次いで第１のガイドパイプ３１にコアドリルを挿入して外壁２０に第１の穴２３を穿孔し、基板３０を外さないで第２のガイドパイプ３２にドリルを挿入して第２の穴２４を穿孔する。治具を利用することで所望する大きさ並びに間隔の穴が穿孔できる。
【００１８】
第１実施例において、ナット板１３は直径５０ｍｍの円板とし、厚み３．２ｍｍである。雌ねじ１４はバーリング加工を施した部分に形成しているので、６．５〜７．０ｍｍのねじ部が確保できる。又、アンカー軸１０は軸径が８ｍｍである。因みに外壁２０の厚みは１００ｍｍであるから、アンカー軸１０の長さは外壁２０の外側から雄ねじ１２が突出する長さとする。
【００１９】
第２実施例
図６〜８は第２実施例を示している。第２実施例は図６に示すように、アンカー軸１０とねじ結合する第２のナット板４０が長円形状をしており、中心部に雌ねじ１４を形成するとともに、いずれかの端部にパイロットピン１５を固定したものである。
【００２０】
図８を参照して、第２実施例のアンカーを施工するときは、外壁２０に第２のナット板４０を挿通する第３の穴４１と、アンカー軸１０を挿通する第４の穴４２を穿孔する。第２のナット板４０が長円形状なので、第３の穴４１が、ＰＣ板の場合はドリルの穿孔位置を変え複数回の穿孔作業を経て穴を拡張するが、ＡＬＣ版の場合は穴の中心部を穿孔したドリルを抜かずにそのまま左右方向に移動して穴を拡張することができる。
又、第３の穴４１と第４の穴４２の位置は、第２のナット板４０の雌ねじ１４と第４の穴４２を一致させたとき、パイロットピン１５が第３の穴４１内に存在できる関係が維持できる間隔とする。
【００２１】
第２実施例においても、第３及び第４の穴４１，４２をあけるには治具が有効である。治具は、図７に示すように、基板５０に第３の穴４１に相当する第３の通孔５１と、第４の穴４２に相当する第４の通孔５２をあけたものであり、また基板５０の各隅部背面側に先端が鋭角なピン５３を設けている。
第２実施例の治具の使用方法は、第１実施例の場合と同じである。
【００２２】
アンカーの施工は、図８に示すように、第３の穴４１に第２のナット板４０をパイロットピン１５とともに挿入する（図８ａ）。背面空間２２に第２のナット板４０が達したら、該第２のナット板４０を移動して雌ねじ１４と第４の穴４２を一致させる。その後、第４の穴４２にアンカー軸１０を外壁２０の外側から挿入して第２のナット板４０の雌ねじ１４に結合して雄ねじ１２の部分を外壁２０から突出させる（図８ｂ）。
なお、ここでもパイロットピン１５は取り外すか又は外壁２０から突出している部分を切り落し、さらに第３の穴４１にはモルタル４３を充填して施工完了となる（図８ｃ）。
【００２３】
第２実施例において、第２のナット板４０は横８０ｍｍ、縦２０ｍｍの長円形とし、厚みは８〜１０ｍｍである。アンカー軸１０の軸径は８ｍｍであり、長さは壁体の厚みに合わせた長さとする。
【００２４】
第３実施例
図９，１０は第３実施例を示している。第３実施例では、アンカー軸を板材に溶接などにより固着したものである。
【００２５】
図９において、６０はアンカー軸であり、基端部を円形に形成した板部材６１に溶接等により固着し、先端部に雄ねじ６２を形成したものである。また板部材６１は周縁に２本の切り込みを入れ、かつアンカー軸６０の突出方向に向けて直角に折り曲げ形成した回止め片６３を設けている。
【００２６】
第３実施例のアンカーを施工するときは、図１０に示すように、外壁２０に板部材６１の外形に相当する第５の穴７０を穿孔し、又、該第５の穴７０の周縁部に当該穴の中心部に向って開口する溝７１を形成する。なお、溝７１の深さは、溝内にアンカー軸６０を挿入してアンカー軸６０が溝端に達したときに当該溝７１に回止め片６３が係合する深さとする。
実施例において、第５の穴７０はコアドリルで穿孔し、溝７１はジグソー等を使用して削成する。
【００２７】
アンカーの施工は、第５の穴７０に板部材６１をアンカー軸６０とともに挿入し（図１０ａ）、背面空間２２に板部材６１が達したら、板部材６１を移動して回止め片６３を溝７１に嵌合する（図１０ｂ）。
板部材６１の回止め片６３が溝７１に係合したことで、板部材６１は空回りが阻止され又アンカー軸６０の先端部が外壁２０から突出しているので、この状態で空洞になった第５の穴７０に抜きかす７２を充填するとともに溝７１にモルタル７３を充填して施工完了とする（図１０ｃ）。
【００２８】
第３実施例において、板部材６１は直径５０ｍｍの円板とし、厚みは３．２ｍｍである。又、アンカー軸１０の軸径はここでも８ｍｍである。
【００２９】
本発明の第１〜３実施例の説明において、アンカー軸１０，６０は先端部に雄ねじ１２，６２を形成した構造としたが、本発明のアンカーは、アンカー軸の先端部を雌ねじとすることができることは勿論であり、又、雄ねじ１２，６２の部分に雌ねじ管を接続して雌ねじ型として使用することもできるものである。
又、本発明の用途は、壁体に物を取り付けるために使用できることの他、建築物の外壁補修を行うに際し足場の固定手段として使用できるものである。
【００３０】
【発明の効果】
本発明は、厚みが１００ｍｍ程度の壁体であって、壁体背面が狭い構造であっても片側面から施工できるアンカーであって、ＰＣ板又はＡＬＣ版に適用できることの効果を有するものである。
【図面の簡単な説明】
【図１】第１実施例のアンカーを示し、ａは構成部品の分解斜視図、ｂはナット板の断面図。
【図２】第１実施例のアンカーを示し、ａ，ｂいずれも他の形態を示す斜視図。
【図３】第１実施例のアンカーを施工する施工作業を示す断面図。
【図４】第１実施例のアンカーを施工する穴をあけるための治具を示す斜視図。
【図５】図４に示す治具の使用状態を示す断面図。
【図６】第２実施例のアンカーを示す斜視図。
【図７】第２実施例のアンカーを施工する穴をあけるための治具を示す斜視図。
【図８】第２実施例のアンカーを施工する施工作業を示す断面図。
【図９】第３実施例のアンカーを示す斜視図。
【図１０】第３実施例のアンカーを施工する施工作業を示す断面図。
【符号の説明】
１０  アンカー軸
１１  雄ねじ
１２  雄ねじ
１３  ナット板
１４  雌ねじ
１５  パイロットピン
１６  取手部
１７  切欠き
１８  Ｕ字切込み
１９  樋状案内部
２０  外壁
２１  石こうボード
２２  背面空間
２３  第１の穴
２４  第２の穴
２５  抜きかす
３０  基板
３１  第１のガイドパイプ
３２  第２のガイドパイプ
４０  第２のナット板
４１  第３の穴
４２  第４の穴
４３  モルタル
５０  基板
５１  第３の通孔
５２  第４の通孔
５３  ピン
６０  アンカー軸
６１  板部材
６２  雄ねじ
６３  回止め片
７０  第５の穴
７１  溝
７２  抜きかす
７３  モルタル
【図１】
0004676619.tif 000002
【図２】
0004676619.tif 000003
【図３】
0004676619.tif 000004
【図４】
0004676619.tif 000005
【図５】
0004676619.tif 000006
【図６】
0004676619.tif 000007
【図７】
0004676619.tif 000008
【図８】
0004676619.tif 000009
【図９】
0004676619.tif 000010
【図１０】
0004676619.tif 000011